(57)【特許請求の範囲】
【請求項１】
電離放射線を検出するための少なくとも１つの検出プローブを支持し、取り付けるための機械装置であって、一つ又は各前記検出プローブ（１）毎に、
前記検出プローブ（１）の観測視野を画定するコリメータ（３）を支持することが可能なコリメータホルダ（５）に終端が位置するプローブホルダ（７）と、
グローブボックス（９）のグローブポート（９．１）に取り付けられる取付け装置（６）と、
を含み、
前記プローブホルダまたは各前記プローブホルダ（７）が、前記取付け装置（６）、及び、前記コリメータ（３）、取付手段（８）と協働して、シリンダ同士の嵌合タイプである前記コリメータホルダ（５）に前記コリメータ（３）が取り付けられ、
前記コリメータホルダ（５）に対する前記コリメータ（３）の回転または滑りを阻止するために、前記コリメータホルダ（５）と前記コリメータ（３）のいずれかによって保持された、ノッチ（５．２）で止めるようにされた少なくとも１つのボールプランジャ（８．１）が設けられ、前記コリメータ（３）が、前記検出プローブ（１）の観測視野を調整することができるように取外し可能であることを特徴とする、機械装置。
【請求項２】
前記コリメータホルダ（５）に、前記検出プローブ（１）が前記コリメータホルダ（５）に対して滑るまたは回転するのを阻止するためのロック手段（５．３）が設けられていることを特徴とする、請求項１に記載の機械装置。
【請求項３】
前記取付け装置（６）は前記プローブホルダ（７）が貫通する中心部分（６．１）を有し、この中心部分（６．１）が、前記グローブボックスの前記グローブポート（９．１）によって保持された共用取付け手段（９．３、９．４１、９．４２）と協働する取付け手段（６．３）を備えたフランジ（６．２）に縁取られており、これらの前記取付け手段（６．３）がバヨネットタイプまたは爪タイプであることを特徴とする、請求項１または請求項２に記載の機械装置。
【請求項４】
前記取付け装置（６）に、前記プローブホルダ（７）が滑るまたは回転するのを阻止するためのロック手段（６．５）が設けられていることを特徴とする、請求項１から３のいずれか一項に記載の機械装置。
【請求項５】
前記取付け装置（６）に、前記中心部分（６．１）が前記フランジ（６．２）に対して滑るまたは回転するのを阻止するためのロック手段（６．４）が設けられていることを特徴とする、請求項１から４のいずれか一項に記載の機械装置。
【請求項６】
前記取付け装置（６）が気泡水準器（５．４、６．５）を装備していることを特徴とする、請求項１から５のいずれか一項に記載の機械装置。
【請求項７】
核物質を監視する核物質監視装置であって、
当該核物質監視装置は、グローブボックス（９）に納められており、
請求項１から６のいずれか一項に記載の機械装置と、
前記プローブホルダ（７）に納められた少なくとも１つの検出プローブ（１）と、を有し、
前記検出プローブ（１）が、前記コリメータホルダ（５）から放射される電離放射線に感応する検出器（２）と、前記検出プローブ（１）によって送出される信号を処理し表示するシステム（１１）を備えることを特徴とする、核物質監視装置。
【請求項８】
前記コリメータが前記コリメータホルダ（５）に取り付けられると、前記検出器（２）が前記コリメータ（３）内に収容されることを特徴とする、請求項７に記載の核物質監視装置。
【請求項９】
前記検出プローブ（１）がＸ線及び／またはガンマ線分光測定プローブであることを特徴とする、請求項７または請求項８に記載の核物質監視装置。
【請求項１０】
前記検出器（２）がＣｄＴｅまたはＣｄＺｎＴｎ材料からなることを特徴とする、請求項７から９のいずれか一項に記載の核物質監視装置。
【請求項１１】
請求項７から１０のいずれか一項に記載の核物質監視装置を装備していることを特徴とする、グローブボックス（９）。
【請求項１２】
監視される核物質中に存在する１つ以上の放射性元素を同定するための、請求項７から１０のいずれか一項に記載の核物質監視装置の利用法。
【請求項１３】
監視される核物質の放射能の強さを決定するための、請求項７から１０のいずれか一項に記載の核物質監視装置の利用法。
【請求項１４】
監視される核物質の保持または除染係数の変化を推定するための、請求項７から１０のいずれか一項に記載の核物質監視装置の利用法。
【発明の詳細な説明】
【技術分野】
【０００１】
本発明は、核物質の監視に関する。「核物質」という表現は、ウラン、プルトニウム、または、トリウムをかなりの濃度で含む物質を表わしている。
【０００２】
これらの核物質は、多数の研究所及びプラントにおいて核燃料サイクルで取り扱われている。産業的実施方法は、安全上の制約条件によって、とりわけ、先行技術文献（非特許文献１参照）に記載の臨界条件の危険を管理し、核物質の核拡散を制御するための制約条件によって管理されている。
【背景技術】
【０００３】
核物質、とりわけ、核分裂性核物質、すなわち、核分裂が可能なこうした物質を含む産業または研究施設の運営は、ワークステーションに編成されている。ワークステーションは施設の一部であり、境界画定された輪郭を備え、その内部に限定された質量の核物質が納められている。本発明の場合、ワークステーションはグローブボックスである。ワークステーションに納められる核物質の質量管理は、臨界条件の危険を制御する方法の１つである。この制御方法は、ワークステーションの入口及び出口において計量操作によって得られる質量収支を利用して実施される。核物質の過剰な蓄積を防止するため、ワークステーションの定期検査、さらに必要があれば、洗浄作業が行われる。この制御方法は、実施が容易であり、比較的信頼性が高い。この制御方法は、一般に、ガンマ線分光測定もしくは中性子またはガンマ線計測のような受動的非破壊核測定によってなされる。グローブボックス内への装備を必要とし、作業終了時におけるシステムの除染につながる、非産業用移動システムが用いられる。
【０００４】
しかしながら、これらの分析技法は、とりわけ標準位置決めシステムが存在しないので実施が面倒であり、各測定には特定の分析が必要であり、測定結果の解釈には、複雑な後続処理が必要になるため、リアルタイム測定結果から利点を引き出すことができなくなる。
【先行技術文献】
【非特許文献】
【０００５】
【非特許文献１】「ＦＵＮＤＡＭＥＮＴＡＬ  ＳＡＦＥＴＹ  ＲＵＬＥＳ  ＲＥＬＡＴＩＶＥ  ＴＯ  ＢＡＳＩＣ  ＮＵＣＬＥＡＲ  ＩＮＳＴＡＬＬＡＴＩＯＮＳ  ＯＴＨＥＲ  ＴＨＡＮ  ＮＵＣＬＥＡＲ  ＲＥＡＣＴＯＲＳ  ＲＦＳ  Ｎ°１．３Ｃ  ＯＦ  １８  ＯＣＴＯＢＥＲ  １９８４」
【発明の概要】
【発明が解決しようとする課題】
【０００６】
本発明の目的は、実際には、電離放射線を生じるグローブボックス内の核物質を容易かつ単純に現場で監視できるようにするため、グローブボックス内におけるこの電離放射線を検出する少なくとも１つのプローブを支持し、取り付けるための機械装置を提案することにある。本発明の目的の１つは、核物質のリアルタイム監視を行えるようにすることにある。
【０００７】
本発明のもう１つの目的は、グローブボックス内の所定の位置に１つ以上の検出プローブを配置できるようにすることにある。
【０００８】
本発明のさらにもう１つの目的は、さまざまな観測視野についていくつかの測定をできるようにすることにある。
【課題を解決するための手段】
【０００９】
これを達成するため、本発明は、第１にコリメータホルダを組込み、第２にグローブボックスのグローブポートへの取付け装置を組み込んだ、少なくとも１つの電離放射線検出プローブを支持し、取り付けるための機械装置を提案する。
【００１０】
すなわち、本発明は、各電離放射線検出プローブ毎に、検出プローブの観測視野を画定するように意図されたコリメータを支持することが可能なコリメータホルダに終端が位置するプローブホルダと、グローブボックスのグローブポートに取り付けるように意図された取付け装置も含む少なくとも１つの電離放射線検出プローブを支持し、取り付けるための機械装置であり、プローブホルダまたは各プローブホルダは前記取付け装置と協働する。
【００１１】
プローブの観測視野が可調整になるように、コリメータを簡単に交換できるようするため、さらに、シリンダ同士の嵌合タイプであるコリメータホルダにコリメータを取り付ける手段と、コリメータホルダに対するコリメータの回転と滑りの両方を阻止するために、コリメータホルダとコリメータのいずれかによって保持された、ノッチで止めるように意図された少なくとも１つのボールプランジャが設けられており、こうしてコリメータは交換可能になっている。
【００１２】
電離放射線検出プローブをグローブボックス内に正確に配置できるようにするため、コリメータホルダは、電離放射線検出プローブを所定位置に固定して、コリメータホルダに対して滑ることも回転することもできないようにするロック手段を装備するのが望ましい。
【００１３】
取付け装置はプローブホルダが貫通する中心部分を含み、この中心部分のエッジは、グローブボックスのグローブポートによって保持された共用取付け手段と協働するように意図された取付け手段を備えたフランジに縁取られているが、これらの取付け手段は、バヨネットタイプか爪タイプである。このようにして、電離放射線検出プローブをグローブボックス内に支持し、取り付ける機械装置の装備が極めて容易になる。
【００１４】
グローブボックス内において電離放射線検出プローブが配置される深さと、その観測視野の角アライメントを調整できるようにするため、取付け装置は、プローブホルダを固定して、取付け装置に対して滑ることも回転することもできないようにするロック手段を装備することが可能である。
【００１５】
やはり、電離放射線検出プローブの観測視野の角アライメントを制御することを目的として、取付け装置には、中心部分を固定して、フランジに対して回転できないようにするロック手段を含むことが可能である。
【００１６】
プローブホルダに対するコリメータの角位置、及び、取付け装置に対するプローブホルダの角位置を設定するため、極めて厳密に言うと、コリメータホルダ及び／または取付け装置は気泡水準器を装備することが可能である。
【００１７】
本発明は、グローブボックス内に配置される核物質監視装置にも関連している。それには、このように特徴づけられる機械的支持及び取付け装置と、プローブホルダ内に配置された少なくとも１つの電離放射線検出プローブが含まれ、このプローブは、コリメータホルダから放射される電離放射線に感応する検出器と、電離放射線検出プローブによって送出される信号を処理し、表示するためのシステムを備えている。コリメータがコリメータホルダに取り付けられると、検出器はコリメータ内に収容される。
【００１８】
検出器は、ＣｄＴｅまたはＣｄＺｎＴｅ製とするのが有利であると思われる。というのは、これらの材料が電離放射線に感応するためである。
【００１９】
プローブは、Ｘ線及び／またはガンマ線分光測定プローブが望ましく、Ｘ線分光測定は、より弱いエネルギ準位、とりわけ、１２０ｋｅＶ未満のエネルギ準位に関するものである。
【００２０】
本発明は、このように特徴づけられる核物質を監視するための装置を装備したグローブボックスに関するものでもある。
【００２１】
本発明は、監視される核物質中に存在する１つ以上の放射性元素を同定するための、このように特徴づけられる核物質監視装置に関するものでもある。
【００２２】
本発明は、監視される核物質の放射能の強さを決定するための、このように特徴づけられる核物質監視装置の利用法に関するものでもある。
【００２３】
本発明は、監視される核物質の保持または除染係数の変化を推定するための、このように特徴づけられる核物質監視装置の利用法に関するものでもある。
【００２４】
本発明については、付属の説明図を参照しながら、純粋に示唆として決して制限を意味するものではなく示された、実施形態例の説明を読めばより深い理解が得られるであろう。
【図面の簡単な説明】
【００２５】
【図１Ａ】その取付け装置が差込み取付け具を備えるプローブを支持し、取り付けるための機械装置を用いる、本発明の目的をなす２つの電離放射線検出プローブを備えた核物質監視装置の一例を３次元で示す図である。
【図１Ｂ】その取付け装置が差込み取付け具を備えるプローブを支持し、取り付けるための機械装置を用いる、本発明の目的をなす２つの電離放射線検出プローブを備えた核物質監視装置の一例を３次元で示す図である。
【図２Ａ】本発明による電離放射線検出プローブを支持し、取り付けるための機械装置の一例のコリメータホルダを示す図であり、ここで、コリメータホルダは意図的にコリメータを備えていない。
【図２Ｂ】本発明による少なくとも１つの電離放射線検出プローブを支持し、取り付けるための機械装置のコリメータホルダ及びその交換可能なコリメータの一例を示す図である。
【図２Ｃ】本発明による少なくとも１つの電離放射線検出プローブを支持し、取り付けるための機械装置のコリメータホルダ及びその交換可能なコリメータの一例を示す図である。
【図３】そのグローブポートの１つに、それぞれがコリメータに関連した２つの電離放射線検出プローブを備える本発明による核物質監視装置を装備したグローブボックスを示す図である。
【図４Ａ１】グローブボックスのグローブポートと、機械的支持及び取付け装置を取り付けるための装置の間の結合の詳細を示す図であり、取付け装置は爪タイプである。
【図４Ａ２】グローブボックスのグローブポートと、機械的支持及び取付け装置を取り付けるための装置の間の結合の詳細を示す図であり、取付け装置は爪タイプである。
【図４Ｂ】グローブボックスのグローブポートと、機械的支持及び取付け装置を取り付けるための装置の間の結合の詳細を示す図であり、取付け装置は爪タイプである。
【図４Ｃ】グローブボックスのグローブポートと、機械的支持及び取付け装置を取り付けるための装置の間の結合の詳細を示す図であり、取付け装置は爪タイプである。
【図４Ｄ】グローブボックスのグローブポートと、機械的支持及び取付け装置を取り付けるための装置の間の結合の詳細を示す図であり、取付け装置は爪タイプである。
【図５】容積が６０ｍｍ３または１ｍｍ３である、２つの電離放射線検出プローブのエネルギの関数として固有効率を例示したグラフである。  同じか、同様か、または、同等の後述するさまざまな部分は、１つの図からもう１つの図への移行をより容易にするため、同じ参照番号を備えている。  これらの図に描かれたさまざまな部分は、これらの図をより容易に読み取れるようにするため、必ずしも一定の比率で描かれているわけではない。  これらの図では、不必要に過度の描写を盛り込まないようにするため、周知の構造については詳細に描かれていない。
【発明を実施するための形態】
【００２６】
図１Ａ、１Ｂは、本発明の目的をなす核物質監視装置の２つの図である。本発明の目的をなす核物質監視装置は、グローブボックス９内に納められた核物質を監視することを目的としている。グローブボックス９は、図３においてのみ見られる。
【００２７】
グローブボックス９は、少なくとも１対のアパーチャ９．１（グローブポートタイプの）を備えた密封エンクロージャである。アパーチャ９．１のそれぞれはハンドリンググローブ９．２を密封方式で備えているので、オペレータは、汚染の危険を伴わずにグローブボックス内に手を入れることができる。グローブは、装置の導入もしくは廃棄物の除去を可能にするスリーブに置き換えることが可能である。この場合、スリーブは、アパーチャに密封方式で取り付けられる。図３には、グローブだけしか示されていないが、スリーブは指の部分が除去されたグローブに似たものであろうと想像することができる。
【００２８】
核物質監視装置には、まず第１に、少なくとも１つの電離放射線検出プローブ１と、第２に、グローブボックス９のアパーチャ９．１内に電離放射線検出プローブ１を支持し、取り付けるための機械装置１０が含まれている。電離放射線検出プローブ１は、当然ながら、電離放射線検出プローブ１によって送信される信号を処理し、表示するためのシステム１１に接続されている。電離放射線を検出するためのプローブ１には、電離放射線に感応する検出器２が含まれている。図１Ａ、１Ｂの場合、プローブ１は部分的にしか見ることができない。
【００２９】
Ｘ線及び／またはガンマ線分光測定プローブを用いるのが望ましい。Ｘ線分光測定は、ガンマ線分光測定よりも弱いエネルギ準位、とりわけ、１２０ｋｅＶ未満のエネルギ準位に関するものである。説明の残りの部分において、「検出プローブ」という表現が用いられる場合、これは、これが任意のタイプの電離放射線検出プローブで差し支えないことを表わしている。
【００３０】
Ｘ線及び／またはガンマ線分光測定プローブによれば、スペクトル、すなわち、核物質によって放射されるＸ線及び／またはガンマ線のエネルギ分布を知ることが可能になる。得られるスペクトルは、Ｘ線及び／またはガンマ線分光測定プローブ１に取り付けられた検出器２におけるＸ線及び／またはガンマ線のさまざまな基本的相互作用を反映している。
【００３１】
図２Ａ、２Ｂ、２Ｃを参照する。この電離放射線検出プローブ１は、軸ｘｘ′に沿って延びる細長い形状をしている。核物質から生じる電離放射線に感応する検出器２は、プローブの一方の端部に配置されている。この検出器２は、受けた電離放射線を電気信号に変換する。処理及び表示システム１１によって処理できるようにするため、電気信号を伝達するように意図された導電体１．１は、プローブ１のもう一方の端部において接触可能である。
【００３２】
この検出器２は、ＣｄＴｅまたはＣｄＺｎＴｅのような半導体材料製とすることができる。これらの材料は、Ｘ線及びガンマ線に感応するためである。この検出器２は回転対称をなすシリンダの形態をとることができる。
【００３３】
この検出プローブ１は視準が合わされていることが望ましい。コリメータ３は、検出器２に見える空間の部分、すなわち、その観測視野を制限するように意図されている。コリメータ３は、検出プローブ１の検出器２の観測視野を画定する立体角の値によって特性が示される。検出器２の容積が異なることがあるが、同じコリメータを用いることができる。この容積は、例えば１ｍｍ３〜１５００ｍｍ３とすることができる。
【００３４】
検出プローブ１は、やはり本発明の目的であるグローブボックス内の機械的支持及び取付け装置１０と共に用いるように意図されている。本発明の目的である検出プローブ１の機械的支持及び取付け装置１０には、コリメータホルダ５に終端が位置するプローブホルダ７と、グローブボックス９のグローブポート９．１との取付け装置６が含まれている。
【００３５】
検出プローブ１は、プローブホルダ７から取り外すことが可能である。極めてさまざまな準位の放射線源を測定するため、さまざまな容積を有する検出器２を用いることのできる、ある程度の範囲の検出プローブ１でなければならない。
【００３６】
コリメータホルダ５は、コリメータ３の保持を目的としたものである。図２Ａにおいて明らかなように、プローブホルダ７内に収容された検出プローブ１は、コリメータが存在しなくても、開放観測視野で機能することが可能である。この構成の場合、コリメータホルダ５は、コリメータ３を保持していない。検出プローブ１の検出器２はコリメータホルダ５から姿を現している。
【００３７】
プローブホルダ７は、選択的に、主軸まわりに回転されて製造された管状部品である。検出プローブ１は、プローブホルダ７に挿入するように意図されている。プローブホルダ７は、ステンレス鋼製とすることが可能である。それは、コリメータホルダ５に取り付けなければならない第１の開放端部と、処理及び表示システム１１に電気的に接続するため、検出プローブ１からの導電体１．１に接触可能にする第２の端部を備えている。
【００３８】
コリメータホルダ５は、管状部品である。それは主軸まわりに製造され、プローブホルダ７の太さより太い。その両端は開放されている。それはプローブホルダ７のように、プローブ１をなめらかにはめられるように意図されている。それは、一方の端部によってプローブホルダ７の一方の端部に取り付けられ、そのもう一方の端部によってコリメータ３に取り付けられるように意図されている。それは、プローブホルダ７を延長する。コリメータホルダ５は、プローブホルダ７が可能なのと同様、ステンレス鋼製とすることが可能である。それは、コリメータ３よりも強い機械特性を備えていなければならない。
【００３９】
コリメータ３は遮蔽機能を有している。それは銅製または銅合金製とすることが可能であるが、銅が鋼よりも優れた減衰率を有しているためである。コリメータ３には、検出器２がコリメータ３内に納められると、電離放射線が検出器２に到達できるようにするアパーチャが含まれている。コリメータの残りの部分、すなわち、本体は、検出器を包囲しており、電離放射線に対する遮蔽機能を備えている。
【００４０】
図２Ｂに示されるように、コリメータ３は取外し可能とすることが好ましい。すなわち、それはコリメータホルダ５から容易に取り外すことが可能である。ある特定の検出プローブ１の場合、そこで、さまざまな値のアパーチャ、従って、さまざまな値の立体角を備えるいくつかのコリメータ３を設けることが可能である。また、コリメータをなくし、コリメータホルダ５を空いたままにしておくことも可能である。可変立体角の利用を可能にする交換式コリメータ３の利用は、グローブボックスの寸法に核物質監視装置を適応させるのに極めて役に立つ。グローブボックスの寸法とは、第１に、グローブボックスのカウンタトップとグローブポートの中心を通る軸との間の高さであり、第２に、この軸に沿って測定されたカウンタトップの深さである。
【００４１】
図２Ａには、コリメータホルダ５と、それを貫通する検出プローブ１が示されているが、コリメータがなく、検出器２が姿を現している。図２Ｂには、プローブ１、コリメータホルダ５、コリメータホルダ５に取外し可能に取り付けられたコリメータ３、及び、コリメータホルダ５内に装着するように意図された、さまざまな立体角を備える一連の他のコリメータ３が示されている。図２Ｃには、軸ＸＸ′に沿った縦断面として、図２Ｂのさまざまな要素が示されている。
【００４２】
コリメータ３は、一方の端部が閉じた管状の部品である。それは、主軸まわりに回転されて製造される。それは、その端部の一方が閉じており、そのもう一方の端部はコリメータホルダ５に取り付けなければならない。閉鎖端部は、球状か、フラットか、もしくは、その他のキャップの形状を備えることが可能である。球状キャップは、空間の観点からして検出器２まわりにおける材料の厚さを均一化するのに有利である。
【００４３】
コリメータ３は、検出プローブ１の検出器２を収容することを目的とする。コリメータ内の凹部の容積は、さまざまな容積の検出器を収容できるように選択されている。それには、検出器２の観測視野を画定するように、円錐形状が望ましい貫通孔３．１が側方に含まれている。円錐の立体角はコリメータの立体角に等しい。
【００４４】
貫通孔３．１は、コリメータ３の主軸に対して垂直な軸まわりに形成されている。これらの軸は図２Ｃにおいて見ることができる。図２Ｂ及び２Ｃには、それぞれ、１０°、３０°、５０°、７０°、及び、９０度の立体角を有する５つの異なるコリメータ３が提示されている。カバーされる角範囲は、従って、２０°の間隔で、１０°〜９０°になる。もちろん、他の値も考えられる。
【００４５】
図１Ａ、１Ｂにおいて、検出プローブ１、コリメータホルダ５、コリメータ３、及び、プローブホルダ７は、同軸をなすようにして、一方が他方の内側に嵌め込まれている。
【００４６】
コリメータ３及びコリメータホルダ５は、締結具８によって互いに取り付けられている。これらの締結具８には、第１にシリンダ同士の嵌合、第２に固定手段が含まれている。コリメータ３及びコリメータホルダ５は、シリンダ同士の嵌合を利用して互いに装着されている。これを実行するため、コリメータ３は、コリメータホルダ５によって保持された雄型円筒状部分５．１を嵌入する雌型円筒状部分３．１によって取り付けられる。もちろん、コリメータホルダ５が雌型円筒状部分と嵌合し、コリメータ３が雄型円筒状部分と嵌合するように構想することも可能である。この装着によって、コリメータがコリメータホルダにぶつかると、コリメータを停止させることが可能になる。
【００４７】
互いに嵌合すると、コリメータホルダ５とコリメータ３は、雌型円筒状部分３．１の半径方向の貫通孔３．２を通り、雄型円筒状部分５．１のノッチ５．２にぶつかって止まるように意図された少なくとも１つのボールプランジャのような固定手段８．１によって、滑りまたは回転が阻止される。これらの図において、２つのボールプランジャ８．１が、互いに直径の反対側に描かれているが、これにより、コリメータ３とコリメータホルダ５との間における回転止めの信頼性を高めることができる。コリメータホルダ５の雄型円筒状部分５．１には、一連の一様に配分されたノッチ５．２が描かれているが、これにより、コリメータホルダ５に対してコリメータ３の貫通孔３．１の角位置を調整することが可能になる。図２Ａには、１２のノッチ５．２が描かれている。この数は限定されたものではない。コリメータホルダ５に対するコリメータ３のアパーチャの角位置を調整して、寄生ガンマ放射線源を立体角から、従って、検出プローブの観測視野から排除することにより、寄生ガンマ放射線源を避けることが可能になる。機械的支持装置１０は、いくつかの検出プローブ１に合せて設計されると、コリメータ３のアパーチャの角位置を調整することにより、図３に例示されたグローブボックス９のカウンタトップの可能性のある最大領域をカバーするように、各検出プローブ１の視野のアライメントをさまざまにとることが可能になる。
【００４８】
コリメータホルダ５には、検出プローブ１の滑りもしくは回転を阻止するため、ロック手段５．３も設けられている。それらは、図２Ｂ及び２Ｃにおいてのみ見ることができる。
【００４９】
ロック手段５．３には、コリメータホルダ５のボアに半径方向に貫入し、締め付けられると、その一方の端部が検出プローブ１にぶつかって止まることになるネジを含むことが可能である。
【００５０】
機械的支持及び取り付け装置１０には、グローブボックス９のグローブポート９．１に取り付けられる取り付け装置６も含まれる。核物質監視装置をグローブボックス９のグローブポート９．１に滑り込ませた場合、グローブ９．２またはスリーブは所定位置に留まる。これに関して、たとえグローブがスリーブを備えているとしても、「グローブポート」という用語を使い続けることにする。
【００５１】
取り付け装置６には、グローブボックス９のグローブポート９．１に取り付けなければならないフランジ６．２によって包囲された中心部分６．１が含まれている。もう一度、図１Ａ、１Ｂ、さらに、図３も参照することにする。このグローブポート９．１は、一般に３つ存在するラグ９．３を取り付けることが可能なリング９．５で縁取られている。その部分に関して、フランジ６．２は、これらの図では、ラグ９．３にぴったりと合うバヨネットタイプのアタッチメント６．３が取り付けられている。１つ以上のプローブホルダ７が、中心部分６．１を横断している。いくつかのプローブホルダ７のための単一取り付け装置６が設けられている。中心部分６．１は、完全な円板の形態で描かれているが、プローブホルダ７の１つがそのそれぞれに挿入される１つ以上の穴を備えている。この中心部分６．１はシャッタに似ている。それはグローブポート９．１を塞ぐ。グローブが固定シールを施している場合には、穴あき中心部分も可能であろう。中心部分６．１の唯一の役割は、プローブホルダ、または、各プローブホルダ７を支持し、位置決めすることである。
【００５２】
図４Ａ１及び４Ａ２に例示の変形態様として、グローブポート９．１は、外側に１つ以上のグルーブ９．４１または１つ以上のビード９．４２が設けられたリング９．５で縁取られている。グルーブ９．４１は凹んでおり、ビード９．４２は突き出している。フランジ６．２には、少なくとも９．４２においてリング９．２の外側を支持する半径方向の爪６．４０、６．５０が設けられている。図４Ｂ、４Ｃ、４Ｄを参照することにする。爪６．４０、６．５０のうち、６．５０の参照番号が付いたほうの少なくとも１つは、図４Ｄに例示のように調整可能であり、もう一方の爪６．４０は固定されている。可調整爪６．５０は、取り付けが最適になるように、２つの部分、すなわち、フランジ６．２にしっかりと取り付けられた１つの固定部分６．５１と、グローブボックスに最も近い端部、この場合は第２の端部とグルーブ９．４１内で係合するように意図された湾曲端部を備える１つの可動部分６．５２からなっている。グルーブリング９．５が、代わりに、図４Ａ２におけるように１つ以上のビード９．４２を備える場合、可動部分６．５２は、ビードの１つ、すなわち、グローブボックスに最も近いビードである例えば第２のビードによって支持される。可動部分６．５２の湾曲端部が所定位置につくと、可動部分６．５２を固定部分６．５１に押し付けて保持するため、ネジ締付け手段６．５３が設けられている。
【００５３】
とりわけ、フランジ６．２が取り付けられ、グローブボックスのグローブポート９．１において回転できなくなると、中心部分６．１をフランジ６．２に対して回転させることが可能になる。次に、検出器がグローブボックス内に配置される。中心部分６．１がフランジ６．２に対して回転できなくするための手段６．４が設けられる。これは、フランジ６．２にねじ込むことができ、ねじ込まれると、その頭が、フランジ６．２に対して中心部分６．１を動けなくする、少なくとも１つのローレット頭ネジ６．４とすることが可能である。中心部分６．１のまわりにはいくつかのローレット頭ネジを配分するのが望ましい。ローレット頭ネジの利点は、その頭に広い締付け領域をもたらす大きい肩を備えているという点にある。
【００５４】
図には、互いに直径の反対側に位置する２つのこうしたネジが描かれている。ネジの軸は、軸ＸＸ′に対してほぼ平行である。取付け装置６、とりわけ、その中心部分６．１は、水平及び／または垂直に対する中心部分６．１の角アライメントを決定できるように、気泡水準器６．５を装備している。
【００５５】
締付け前に、各プローブホルダ７は取付け装置６に対して滑らせ、回転させることが可能である。それは、取付け装置６の中心部分６．１内を滑ることが可能である。取付け装置６に対するプローブホルダ７のそれぞれの滑り及び回転を阻止するロック手段６．５が設けられている。これによって、取付け装置６がグローブボックスにしっかりと取り付けられた後、グローブポートに対してグローブボックス内の検出器の位置の深さを調整することが可能になる。これらのロック手段６．５は、例えば、手で容易にねじ込み、ねじって抜くことが可能な蝶ネジによって各プローブホルダ７毎に施すことが可能である。この蝶ネジは、取付け装置６の中心部分６．１の突出部６．１０にねじ込まれる。その端部は、プローブホルダ７のグルーブに係合し、回転または滑りを阻止することになる。これらの図には、グルーブを見ることはできない。回転またはすべりを阻止するこのタイプの手段は、機構学において一般的である。
【００５６】
もちろん、各検出プローブ１は、できれば別個に、高電圧と低電圧の電力供給を受けるように意図されており、この電源は、図に過度の描写を盛り込まないようにするため、描かれていない。各検出プローブ１は、プローブによって送出される信号を処理して、表示するためのシステム１１に接続されるように意図されている。
【００５７】
ＣｄＺｎＴｅまたはＣｄＴｅ製の検出器は、満足のいく分解能を備えつつ、図５に示すように高エネルギより低エネルギにおいて効率的であるため、優先的に選択される。この分解能は、スペクトルにおいて、半値幅に相当し、十分に読み取ることができるものでなければならない。例えば、アメリシウム２４１の場合、この半値幅は、１ｋｅＶ未満である。さらに、これらの検出器の形態は十分にコンパクトであるが、これは、コリメータに収容した場合、単一ユニットまたはいくつかのユニットとして、グローブボックスの標準的なグローブポートに挿入できるということを表わしている。
【００５８】
図５は、容積が１ｍｍ３〜６０ｍｍ３のＣｄＺｎＴｅ製検出器で得られたものである。横軸の目盛が０〜１４００ｋｅＶの範囲にわたるのを見て取ることができる。アクチニド（その質量数がアクチニウムのそれより大きい、すなわち２２７の放射性元素）が、そのピークが０〜３００ｋｅＶのエネルギのガンマ線を有することも想起される。例えば、プルトニウムまたはその派生物の２つの特性線は、アメリシウム２４１の場合５９．５４ｋｅＶのエネルギ準位を有し、ウラン２３７の場合、２０８ｋｅＶのエネルギ準位を有している。
【００５９】
所定の検出器のエネルギＥにおけるｃｍ２当りの固有効率Ｋ（Ｅ）は、検出器から所定の距離に配置された、その放射能の強さが分かっている局部的な測定標準放射線源を用いて実験的に求められる。測定標準放射線源で得られるスペクトルの各有意ピーク毎に、計測率が計算されるが、それは、検出器の中心における測定標準のフルエンス率に関連している。検出器の固有効率は、公式Ｋ（Ｅ）＝Ｓ（Ｅ）／Ｔｃ×Φ（Ｅ）を満たす。ここで、Ｓ（Ｅ）は、エネルギ準位Ｅのエネルギピークの正味面積であり、Ｔｃは、秒で表現されるスペクトルの取得時間であり、Φ（Ｅ）は、検出器の中心におけるフルエンス流量率（ガンマ／ｃｍ２／ｓ）である。
【００６０】
スペクトルは通常の方法で処理される。
【００６１】
それにより、オペレータは、グローブボックス内の核物質の量がどれほど変化したのかを２つの方法で知ることが可能になる。スペクトルに存在する各線毎に、ピークの最高点及びピークの正味面積における対応するエネルギが得られる。
【００６２】
これらの方法のうちの１つは、保持または除染係数ＦＤを求めることであり、もう１つは、コリメータの立体角内に含まれる核物質の放射能の強さを決定することになるスペクトルの直読である。この角度は、グローブボックス全体をカバーするため、サイズ及び位置によって異なる可能性がある。
【００６３】
ある特定の放射性元素に関する保持または除染係数ＦＤを推定するため、この放射性元素の有意エネルギ準位Ｅｉの正味ピーク面積が、２つの特定の瞬間ｔ０及びｔ１に求められた。ここで、ｔ１はｔ０より遅い。核物質の質量は、これら２つの瞬間の間で変化した推測される。時間（計測率）に関して補正されたこれらの面積は、Ｎ０Ｅｉ及びＮ１Ｅｉと呼ばれる。瞬間ｔ０と瞬間ｔ１の間におけるエネルギＥｉの保持または除染係数ＦＤは、Ｎ０Ｅｉ／Ｎ１Ｅｉの比率である。
【００６４】
このようにして、観測される核物質中に存在する１つ以上の放射性元素を同定することが可能であり、この核物質は、グローブボックス内に納められている。
【図１Ａ】
0006014028.tif 000002
【図１Ｂ】
0006014028.tif 000003
【図２Ａ】
0006014028.tif 000004
【図２Ｂ】
0006014028.tif 000005
【図２Ｃ】
0006014028.tif 000006
【図３】
0006014028.tif 000007
【図４Ａ１】
0006014028.tif 000008
【図４Ａ２】
0006014028.tif 000009
【図４Ｂ】
0006014028.tif 000010
【図４Ｃ】
0006014028.tif 000011
【図４Ｄ】
0006014028.tif 000012
【図５】
0006014028.tif 000013